(57)【要約】      （修正有）【課題】簡単な構造で且つ安全に操作できる遊戯用割り箸鉄砲を提供する。【解決手段】割り箸鉄砲は、銃身ユニット１０と引き金ユニット２０とグリップユニット３０を含み、輪ゴム弾は銃身ユニットの切込みに輪を引掛けて後方に引き伸ばして撃発ヘッド２２の間を通してから装填棒１７の廻りを一周して廻してから撃発ヘッドに引掛ける。射撃後撃発ヘッドが元の位置に復帰すると次の輪ゴム弾が撃発ヘッドから解放され、装填棒の廻りを回って撃発ヘッドの反対側に掛け止めされる。その際に輪ゴム全体が振れて逆発射防止ゲート兼照星３２左右の側延伸棒に当たって勢いが減殺されるため、銃身切込みから輪ゴム弾が外れて誤射されることがない。【選択図】図２
0003220868.tif 000002
【実用新案登録請求の範囲】
【請求項１】
銃身ユニット、引き金ユニットとグリップユニットとを含む割り箸鉄砲であって、
上記銃身ユニットは、前端に輪ゴム弾を係止する銃身切込みが設けられた銃身、銃身下側に設けられた銃身フレーム、銃身左右に添えられた左側添え木及び右側添え木からなり、
さらに、それらの後端にそれぞれ左側添え木後端、銃身後端、右側添え木後端、銃身フレーム後端を組み合せて構成した銃身ユニット後段を設け、
上記銃身ユニットの後段には引き金ユニットとグリップユニットが設けられ、
上記引き金ユニットは、その底端に引き金、頂端には輪ゴム弾を係止する撃発ヘッドが設けられて、該撃発ヘッドは頂端に向けて縮径して傾斜が形成され、その底部において銃身に対して引き金枢接軸を介して回動可能に枢設され、
上記銃身フレームには引き金輪ゴムを設置する引き金穿孔が設けられ、
上記グリップユニットは、上記銃身ユニット後段と上記銃身ユニット後段との間に形成した左側添え木の左結合切込みと右側添え木の右結合切込みによって結合されると共に、グリップユニットの底側には棒材を組合せて形成した断面形状が梅花状の梅花形グリップが設けられ、該梅花形グリップの左右の棒材から延長した左延伸棒、右延伸棒により照星を構成した、ことを特徴とする新型割り箸鉄砲。
【請求項２】
上記銃身ユニットは、銃身、銃身フレーム、左側添え木、右側添え木が接着して合わせられ、銃身ユニット末端即ち銃身後段と梅花形グリップの間に約６５°〜７０°の夾角を形成することを特徴とする請求項１の新型割り箸鉄砲。
【請求項３】
上記引き金穿孔と引き金の間に引き金輪ゴムが設けられ、引き金を引いた後の引き金ユニットの回復弾力になることを特徴とする請求項１の新型割り箸鉄砲。
【請求項４】
前記銃身後段には銃身先端の銃身切込みに掛けた輪ゴム弾を巻掛けして引き返して撃発ヘッドに係止する装填棒が設けられ、その先端に引っ掛け防止ボールが連接されることを特徴とする請求項１の新型割り箸鉄砲。
【請求項５】
上記撃発ヘッドの頂端は銃身に面する方向に斜度を形成したことを特徴とする請求項１の新型割り箸鉄砲。
【考案の詳細な説明】
【技術分野】
【０００１】
本考案は輪ゴムで射撃する遊戯用割り箸鉄砲に関し、特に単発射撃及び半自動装填する連発射撃できる割り箸鉄砲に関する。
【背景技術】
【０００２】
従来の割り箸鉄砲の構造のほとんどは銃身、引き金、グリップの三つの主なパーツからなる。よく使われる材料は丸い竹箸又は四角型木製箸の二種類であって、単発型と連発型の二種類に分けられる。構造が簡単で、作り方が簡単であるが、その欠点はデザイン・構造において実物の構造を模造するように見えない、さらに構造上の制限によって半自動的に装填して連発射撃ができず、５発以上の装弾量としてスムーズに発射できるようにすることが実現しにくく、それに不慮に事態において射撃者の目に対して保護措置が何にもない。
【先行技術文献】
【特許文献】
【０００３】
【特許文献１】実開昭５７−１１４２９５号公報
【特許文献２】特許第５８９９２３３号公報
【考案の概要】
【考案が解決しようとする課題】
【０００４】
本考案が解決しようとする課題は、従来の技術問題点を解決した輪ゴム弾を発射する遊戯用割り箸鉄砲を提供する。
【課題を解決するための手段】
【０００５】
本考案の新型割り箸鉄砲は、外観構造は実物の拳銃またはライフルを模造し、それに連続的に半自動装填して連発射撃できる５発以上の装弾量機能があり、スムーズに連続発射でき、同時に射撃者の目に対して保護構造が設けられる。
【０００６】
新型割り箸鉄砲の構造は、銃身ユニット、引き金ユニット、グリップユニットとを含む。さらに撃発ヘッド、装填棒、引っ掛け防止ボール、逆発射防止ゲート兼照星、グリップと銃身後段が増設されるため、割り箸鉄砲の機能が大幅に改良される。
【０００７】
撃発ヘッド、装填棒、引っ掛け防止ボール、逆発射防止ゲート兼照星は連発型射撃する時の装弾量を増加でき、さらにスムーズに連続発射機能が確保される。逆発射防止ゲート兼照星は照準または射撃者の目に対して保護機能がある。グリップと銃身後段は銃身とグリップの間の結合を増強させ、使用者が片手でも、両手でも銃を持って射撃する時はより快適に、安定して、照準しやすくようになる。同時に割り箸鉄砲全体の外観はより実物、拳銃、ライフルに似せ、割り箸鉄砲の面白さが増加される。
【図面の簡単な説明】
【０００８】
【図１】図１は、従来の割り箸鉄砲の立体構造図である。Ａ図は単発型、Ｂ図は連発型である。
【図２】図２は、本考案に係る割り箸鉄砲を示す立体構造図である。Ａ図は単発型、Ｂ図は連発型である。
【図３】図３は、本考案に係る割り箸鉄砲を示す左側面図及び分解図である。
【図４】図４は、本考案に係る割り箸鉄砲を示す平面図及び分解図である。
【図５】図５は、本考案に係る割り箸鉄砲を示す底面図及び分解図である。
【図６】図６は、本考案に係る割り箸鉄砲を示す背面図及び分解図である。
【図７】図７は、本考案に係る割り箸鉄砲と実物の外観の比較図である。Ａ図はアメリカ製ガーランドＭ１半自動ライフルの外観図、Ｂ図はオーストリア製グロック３２型半自動拳銃の外観図、Ｃ図は本考案の外観図である。
【図８】図８は、本考案に係る割り箸鉄砲の装弾動作を示す図である。Ａ図は８発装弾時に先に２発が完成される図、Ｂ図は輪ゴムの装弾ルードを示す図で、点線部分は装填棒を回って戻った部分、Ｃ図は８発装弾完成図である。
【図９】図９は、本考案の射撃動作を示す図である。Ａ図は８発装弾完了図、Ｂ図は第１発射撃完了図、Ｃ図は第２発装填初期図、Ｄ図は第２発装填完了図である。
【図１０】図１０は、本考案の別の実施例である。Ａ図は単発型、Ｂ図は連発型である。
【考案を実施するための形態】
【０００９】
本考案の新型割り箸鉄砲の構造は銃身ユニット１０、引き金ユニット２０、グリップユニット３０とを含む。
【００１０】
まず、図１を参照されたい。従来の割り箸鉄砲の立体構造図であって、Ａ図は単発型、Ｂ図は連発型である。Ａ図単発型割り箸鉄砲の構造は銃身ユニット１０、引き金ユニット２０とグリップユニット３０とを含む。
銃身ユニット１０の後段には引き金ユニット２０とグリップユニット３０が設けられる。銃身ユニット１０は銃身１１を含み、前端に輪ゴム弾を掛けるための銃身切込み１１１が設けられ、引き金ユニット２０の頂端に撃発ヘッド２２が設けられ、中段には引き金輪ゴム２５が設けられる。グリップユニット３０の外観はＶ字型フレーム状を呈し、引き金ユニット２０の後ろ側に設けられる。Ｂ図は連発型割り箸鉄砲であって、単発型より３つの部品が多くなる。装填棒１７、銃口横棒１１２と逆発射防止横棒１１３があり、装填棒１７はグリップユニット３０のＶ字型フレームの後端に設けられ、銃口横棒１１２は銃身１１の前端に設けられ、逆発射防止横棒１１３は引き金ユニット２０とグリップユニット３０の間に設けられる。従来の連発型割り箸鉄砲は銃口横棒１１２、逆発射防止横棒１１３が設けられるため、使用者が突然発射または逆発射による怪我が防がれる。
該連発型銃口横棒１１２の位置は単発型銃身切込み１１１の深さより後方に位置して、その目的は切込みの縦方向の深さを増やすためであり、装填時に輪ゴム弾が銃口より外れることで突然発射または逆発射を防止すると同時に輪ゴム弾が多数本の場合に銃身切込み１１１が割れてしまうことを防止する。逆発射防止横棒１１３の目的は輪ゴムが逆発射されることを防止するためである。
【００１１】
引き続き図２の本考案の立体構造図を参照されたい。Ａ図は単発型、Ｂ図は連発型である。Ａ図単発型新型割り箸鉄砲の構造は銃身ユニット１０、引き金ユニット２０とグリップユニット３０とを含む。
銃身ユニット１０の後段には引き金ユニット２０とグリップユニット３０が設けられる。銃身ユニット１０は銃身１１を備え、前端に銃身切込み１１１が設けられ、銃身１１の底側には銃身フレーム１２が設けられ、銃身１１と銃身フレーム１２の左側には左側添え木１３が設けられ、右側には右側添え木１４が設けられる。左側添え木１３と右側添え木１４とグリップユニット３０の間に切込み１５が設けられ、左側添え木１３の前端は左結合切込み１５aで、右側添え木１４の前端は右結合切込み１５ｂである。銃身１１の後端には銃身後段１６が設けられ、銃身後段１６は左側添え木後端１６a、銃身後端１６ｂ、右側添え木後端１６ｃ、銃身フレーム後端１６ｄにより組み合わせられる。
前記引き金ユニット２０の底端には引き金２１が設けられ、頂端には撃発ヘッド２２が設けられる。
単発型新型割り箸鉄砲の撃発ヘッド２２の頂端外径は上方へと縮少して斜度が形成され、撃発ヘッド２２の底側位置で銃身１１を挿通する引き金枢接軸２３により回動可能に枢着され、銃身フレーム１２には引き金穿孔２４が設けられ、該引き金穿孔２４に引き金輪ゴム２５が設けられる。
該グリップユニット３０の底側には断面形状が梅花形の梅花形グリップ３１が設けられ、梅花形グリップ３１の左側には左延伸棒３２a、右側には右延伸棒３２ｂが設けられ、照星３２を構成する。
Ｂ図連発型割り箸鉄砲の銃身後段１６には装填棒１７が設けられ、先端に引っ掛け防止ボール１８が連接される。また撃発ヘッド２２の頂端は銃身１１に相対する方向に斜度が形成され、装填棒１７は斜向金属棒であり、棒本体の末端には引っ掛け防止ボール１８が設けられる。
射撃後の撃発ヘッド２２が元に位置に復帰する装填過程で輪ゴム弾は撃発ヘッド２２からその斜度面を滑って外れて素早く飛ばされ、装填棒１７の廻りを回って撃発ヘッド２２に戻る。この過程中、輪ゴム弾は順序良く銃身１１の両サイドを平行して一周回ってから撃発ヘッド２２に戻るのではなく、素早く振り回されて歪な形状となって装填棒１７の廻りを通り越すために、それらは引っ掛け輪っかみたいに、装填棒１７に簡単に嵌められるため、連射が中断される。引っ掛け防止ボール１８の目的は、輪ゴム弾の輪っかが装填操作の際にこのように装填棒１７に引っ掛かかって嵌められることによって半自動連射が中断されることを防止する。
【００１２】
逆発射防止ゲート兼照星３２は装填過程中において、輪ゴムが意図することなく突然発射または逆発射することを防止するためである。逆発射防止ゲート兼照星３２は輪ゴム弾が装填操作の際に振れて、揺れ、暴走し、逆発射、切れることを抑制でき、射撃者の目を守ると共に、照星にもなる。
本考案の研究開発過程でも、テスト中に逆発射の現象がよく発生するため、高速撮影で毎秒１２０枚で記録したところ、輪ゴム弾が装填操作が完了し、解放されて戻の位置に戻る所要時間は千分の何十秒であるが、高速撮影から判明したことは逆発射防止ゲート兼照星３２がなかった場合、輪ゴム弾が撃発ヘッド２２の斜度に戻る瞬間、輪ゴム全体は左右に激しく揺れ、そのエネルギーにより生じる波を打つ動きは撃発ヘッド２２より銃身に沿って銃身切込み１１１まで影響するため、輪ゴム弾が銃身切込み１１１から外れて意図しない突然発射または逆発射になるが、逆発射防止ゲート兼照星３２を設置した後は揺れが明らかに減少される。その原因は装填過程中、輪ゴム弾が撃発ヘッド２２に戻る際に輪ゴム弾が往復二度も逆発射防止ゲート兼照星３２の左、右側延伸棒３２a、３２ｂを当たるためである。
【００１３】
引き続き図３から図７を参照されたい。本考案は７本の割り箸により６花弁の梅花状のグリップユニット３０に組み合わせられ、中間一列の合わせて３本が銃身フレーム１２下側の外周に合せて半円窪み状に削られて図６を参照されるとおり、銃身ユニット１０の中の銃身フレーム後端１６ｄと接合される。
また、左、右にそれぞれ２本合わせて４本の内の後ろの２本が内側に向けて斜面状に削られてちょうど銃身ユニット１０の左、右側添え木後端１６a、１６ｂの側面と接合される。
これらの内前面の２本は上へ伸び、伸びた部分は銃身ユニット１０の銃身と左、右結合切込み１５a、１５ｂと接合されることは図４を参照されたい。さらに上へ伸びた部分は逆発射防止ゲート兼照星３２の左、右延伸棒３２a、３２ｂを構成する。
以上これらのパーツを組み合わせて一つの単一パーツグリップユニット３０になるため、大量生産の時はより便利になる。銃身ユニット１０とグリップユニット３０が結合される時は合わせて７個の接合点があり、これらの接合点は少量の接着剤だけでしっかり接合でき、さらに精度が足りれば、例えば竹、木材に似せたプラスチックを射出成型し、または金属材料による彫刻、溶接、鋳造など、使う時だけ組み立てるように製造できるため、収納しやすい。
【００１４】
グリップユニット３０と銃身ユニット１０を結合した後、銃身末端即ち銃身後段１６とグリップ３１の間に約６５°〜７０°の夾角が生じ、銃を持つ時、手の親指と人差し指の指間部はちょうどこの位置に当てられるため、射撃する時はより安定に、快適に把握できる。銃身後段１６は銃身後段１６が左側添え木後段１６a、銃身後段１６ｂ、右側添え木後段１６ｃ、銃身フレーム後段１６ｄより組み立てられることは図６を参照されたい。
実物の例によれば、図７Ｂ図英文字ｂｅａｖｅｒｔａｉｌのとおり、銃身後段１６がビーバーのしっぽみたいな形状に作られ、その目的は安定に、快適に把持できるためである。
【００１５】
図８Ａ、Ｂ、Ｃに示されるように、輪ゴム弾を銃にセットした状態を見ると、射撃操作可能な輪ゴム弾は図８Ｃ，図９Ａ最上段の輪ゴム弾１のように銃身１１先端の銃身切込み１１１及び撃発ヘッド２２に輪を引掛けられているが、複数の輪ゴム弾をセットするには、当初輪ゴム弾は、銃身１１先端の銃身切込み１１１に輪を引掛けられ、次いで銃身１１に沿って後方に引き伸ばされて輪の中に撃発ヘッド２２を通してからさらに後方の装填棒１７の廻りを一周して廻してから撃発ヘッド２２に引掛けられる。
複数の輪ゴム弾は、順次このようにしてセットされるために各輪ゴム弾は上位の輪ゴム弾により抑制されて図８，９に示すように整列した状態となっている。
引き金２１を引いて射撃すると図９Ａの状態から撃発ヘッド２２
が前方に傾斜して輪ゴム弾１を開放し、図９Ｂで輪ゴム弾１の弾力により発射される。
次いで、引き金２１が引き金輪ゴム２５により元の位置に復帰すると撃発ヘッド２２も後方に向けて傾斜して復帰するため次のゴム弾２はその傾斜面に沿って滑って撃発ヘッド２２との係合から解放され、装填棒１７の廻りを回って逆発射防止ゲート兼照星３２の間を通ってから撃発ヘッド２２の反対側に掛け止めされる。
この時の輪ゴム弾２の動きを辿ると、解放された後は装填棒１７を回った後まず右側に振り回されて逆発射防止ゲート兼照星３２右側延伸棒３２ｂにぶつかり、再び逆発射防止ゲート兼照星３２左側延伸棒３２aにぶつかってから撃発ヘッド２２斜面に戻る。
この二回のぶつかりによって輪ゴムの振れるエネルギーを大きく抑制できるため、逆発射防止ゲート兼照星３２を装設した後は輪ゴム弾の揺れは明らかに減少し、突然発射または逆発射の現象が二度と起きなかった。
【００１６】
図２と図９Ａ、Ｂ、Ｃ、Ｄに示されるように、Ｂ図は多数発装弾時における輪ゴムのルート図であり、輪ゴムは銃身切込み１１１に引掛けてその両サイドより後方に向けて銃身１１に沿って、撃発ヘッド２２の両側に通過し、逆発射防止ゲート兼照星３２の間を通して、装填棒１７に到達して、左側からその廻りを経て右側の点線を回り、折り返して再び逆発射防止ゲート兼照星３２の間を通過して、終点の撃発ヘッド２２の前縁の傾斜面に到達する。この時撃発ヘッド２２はＡ図に示されるように銃口方向へ傾いていることで輪ゴムが撃発ヘッド２２の前縁に引っ掛けられる。
【００１７】
図１０に示されるように、Ａ図は単発型、Ｂ図は連発型、該引き金穿孔２４は銃身１１と銃身フレーム１２が結合する最前端に設けられる。
【符号の説明】
【００１８】
１０              銃身ユニット
１１              銃身
１１１            銃身切込み
１１２            銃口横棒
１１３            逆発射防止横棒
１２              銃身フレーム
１３              左側添え木
１４              右側添え木
１５              結合切込み
１５a            左結合切込み
１５ｂ            右結合切込み
１６              銃身後段
１６a            左側添え木後端
１６ｂ            銃身後端
１６ｃ            右側添え木後端
１６ｄ            銃身フレームの後端
１７              装填棒
１８              引っ掛け防止ボール
２０              引き金ユニット
２１              引き金
２２              撃発ヘッド
２３              引き金枢接軸
２４              引き金穿孔
２５              引き金輪ゴム
３０              グリップユニットパーツ
３１              梅花形グリップ
３２              逆発射防止ゲート兼照星
３２a            左側延伸棒
３２ｂ            右側延伸棒
【図１】
0003220868.tif 000003
【図２】
0003220868.tif 000004
【図３】
0003220868.tif 000005
【図４】
0003220868.tif 000006
【図５】
0003220868.tif 000007
【図６】
0003220868.tif 000008
【図７】
0003220868.tif 000009
【図８】
0003220868.tif 000010
【図９】
0003220868.tif 000011
【図１０】
0003220868.tif 000012
【手続補正書】
【提出日】平成31年2月13日(2019.2.13)
【手続補正１】
【補正対象書類名】実用新案登録請求の範囲
【補正対象項目名】全文
【補正方法】変更
【補正の内容】
【実用新案登録請求の範囲】
【請求項１】
銃身ユニット、引き金ユニットとグリップユニットとを含む割り箸鉄砲であって、
上記銃身ユニットは、前端に輪ゴム弾を係止する銃身切込みが設けられた銃身、銃身下側に設けられた銃身フレーム、銃身左右に添えられた左側添え木及び右側添え木からなり、
さらに、上記左側添え木、銃身、右側添え木、銃身フレームの後端にそれぞれ左側添え木後端、銃身後端、右側添え木後端、銃身フレーム後端を組み合せて構成した銃身ユニット後段を設け、
上記銃身ユニットの後段には引き金ユニットとグリップユニットが設けられ、
上記引き金ユニットは、底端に引き金、頂端には輪ゴム弾を係止する撃発ヘッドが設けられて、該撃発ヘッドは該頂端に向けて縮径して傾斜が形成されると共に、上記頂端下方において銃身に対して引き金枢接軸を介して回動可能に枢設され、
上記銃身フレームには引き金輪ゴムを設置する引き金穿孔が設けられ、
上記グリップユニットは、上記銃身ユニット後段と上記銃身ユニット後段との間に形成した左側添え木の左結合切込みと右側添え木の右結合切込みによって結合されると共に、グリップユニットの底側には棒材を組合せて形成した断面形状が梅花状の梅花形グリップが設けられ、該梅花形グリップの左右の棒材から延長した左延伸棒、右延伸棒により照星を構成した、ことを特徴とする新型割り箸鉄砲。
【請求項２】
上記銃身ユニットは、銃身、銃身フレーム、左側添え木、右側添え木が接着して合わせられ、銃身ユニット末端即ち銃身後段と梅花形グリップの間に約６５°〜７０°の夾角を形成することを特徴とする請求項１の新型割り箸鉄砲。
【請求項３】
上記引き金穿孔と引き金の間に引き金輪ゴムが設けられ、引き金を引いた後の引き金ユニットの回復弾力になることを特徴とする請求項１の新型割り箸鉄砲。
【請求項４】
前記銃身ユニット後段には銃身先端の銃身切込みに掛けた輪ゴム弾を巻掛けして引き返して撃発ヘッドに係止する装填棒が設けられ、該装填棒先端に引っ掛け防止ボールが連接されることを特徴とする請求項１の新型割り箸鉄砲。
【請求項５】
上記撃発ヘッドの頂端は銃身に面する方向に斜度を形成したことを特徴とする請求項１の新型割り箸鉄砲。